(57)【特許請求の範囲】
【請求項１】
身体の一部に巻き付けて使用する磁気治療具であって、
可撓性を有する長尺体と、
前記長尺体内に長手方向に沿って配列される複数の磁石と
を備え、
前記長尺体は、長手方向に沿って湾曲しており、
前記複数の磁石には、前記長尺体内において前記長尺体の中心軸から前記長尺体の湾曲の中心に向かって偏心して配置される少なくとも１つの偏心磁石が含まれ、
前記複数の磁石には、相対的に磁力の強い２以上の強磁石と、相対的に磁力の弱い２以上の弱磁石とが含まれ、
前記長尺体内には、前記２以上の強磁石が長手方向に沿って概ね等間隔に配列されている、
磁気治療具。
【請求項２】
前記複数の磁石には、前記長尺体内において前記長尺体の中心軸から前記長尺体の湾曲の中心に向かって偏心して配置される２以上の偏心磁石が含まれ、
前記長尺体内には、前記２以上の偏心磁石が長手方向に沿って概ね等間隔に配列されている、
請求項１に記載の磁気治療具。
【請求項３】
前記強磁石は、前記偏心磁石である、
請求項１又は２に記載の磁気治療具。
【発明の詳細な説明】
【技術分野】
【０００１】
本発明は、身体の一部に巻き付けて使用する磁気治療具に関する。
【背景技術】
【０００２】
従来より、磁気の作用による血行促進等の健康上の効果を目的として、ネックレスやブレスレット等の態様で身体の一部に巻き付けて使用する磁気治療具が公知である。特許文献１には、可撓性を有する長尺体内に磁石粒を等間隔に埋め込んだ磁気治療具が開示されている。
【先行技術文献】
【特許文献】
【０００３】
【特許文献１】特開２００９−１８０６１号公報
【発明の概要】
【発明が解決しようとする課題】
【０００４】
しかしながら、特許文献１のように、可撓性を有する長尺体内に磁石粒を埋め込むようにすると、磁束密度は距離の二乗に反比例するため、長尺体表面での磁力が弱まり、血行促進等の効果が十分に発揮されない虞がある。すなわち、磁石粒を覆う可撓性を有する材料の厚みの分だけ磁石が身体から遠ざかり、十分な磁力が発揮されないことが危惧される。
【０００５】
本発明は、十分な磁力を発揮することができ、血行促進等の健康上の効果を高めることが可能な磁気治療具を提供することを目的とする。
【課題を解決するための手段】
【０００６】
本発明の第１観点に係る磁気治療具は、身体の一部に巻き付けて使用する磁気治療具であって、可撓性を有する長尺体と、前記長尺体内に長手方向に沿って配列される複数の磁石とを備える。前記長尺体は、長手方向に沿って湾曲している。前記複数の磁石には、前記長尺体内において前記長尺体の中心軸から前記長尺体の湾曲の中心に向かって偏心して配置される少なくとも１つの偏心磁石が含まれる。
【０００７】
ここでは、長尺体が、長手方向に沿って湾曲して形成される。そして、少なくとも１つの磁石（偏心磁石）が、長尺体内において、長尺体の中心軸から長尺体の湾曲の中心に向かって偏心して配置される。そのため、長尺体の有する湾曲癖により、磁気治療具を身体に容易に巻き付けることができるとともに、磁気治療具を身体に巻き付けようとしたときに、使用者が意識せずとも、偏心磁石は自然とループの内側に偏って配置される。すなわち、磁気治療具の装着時において、偏心磁石が身体に近い位置に維持される。従って、ここでは、長尺体の表面において十分な磁力を発揮することが可能な磁気治療具が提供され、血行促進等の健康上の効果が高められる。
【０００８】
本発明の第２観点に係る磁気治療具は、第１観点に係る磁気治療具であって、前記複数の磁石には、２以上の偏心磁石が含まれる。前記偏心磁石とは、前記長尺体内において前記長尺体の中心軸から前記長尺体の湾曲の中心に向かって偏心して配置される磁石である。前記長尺体内には、前記２以上の偏心磁石が長手方向に沿って概ね等間隔に配列されている。
【０００９】
ここでは、長尺体内に、２以上の偏心磁石が長手方向に沿って概ね等間隔に配列される。その結果、磁気治療具が巻き付けられた身体の部位において、強い磁力の作用を概ね均等に及ぼすことができる。
【００１０】
本発明の第３観点に係る磁気治療具は、第１観点又第２観点に係る磁気治療具であって、前記複数の磁石には、相対的に磁力の強い２以上の強磁石と、相対的に磁力の弱い２以上の弱磁石とが含まれる。前記長尺体内には、前記２以上の強磁石が長手方向に沿って概ね等間隔に配列されている。
【００１１】
長尺体内に相対的に磁力の強い強磁石のみを配置すると、時として磁力が強くなり過ぎる。かといって、相対的に磁力の弱い弱磁石のみを配置すると、強い磁力を発揮する部分が無くなり、十分な磁力の効果を得られないことも考えられる。しかしながら、ここでは、強磁石及び弱磁石が組み合わせて使用される。また、２以上の強磁石が長手方向に沿って概ね等間隔に配列される。その結果、強磁石により概ね等間隔にピンポイントで強い磁力を発揮しつつ、全体としての磁力が強くなり過ぎることのないバランスのとれた磁力の効果が得られる。
【００１２】
本発明の第４観点に係る磁気治療具は、第３観点に係る磁気治療具であって、前記強磁石は、前記偏心磁石である。
【００１３】
ここでは、相対的に磁力の強い強磁石が、長尺体内において、長尺体の中心軸から長尺体の湾曲の中心に向かって偏心して配置される。従って、磁気治療具を身体に装着した状態において、強磁石が身体に近い位置に維持されることになり、強磁石の強い磁力の効果をさらに高めることができる。
【発明の効果】
【００１４】
本発明によれば、長尺体の表面において十分な磁力を発揮することが可能な磁気治療具が提供され、血行促進等の健康上の効果が高められる。
【図面の簡単な説明】
【００１５】
【図１】本発明の一実施形態に係る磁気治療具の外観図。
【図２】本発明の一実施形態に係る磁気治療具（略半分）を直線状に伸ばした様子を示す図。
【図３】着脱自在な連結部の連結構造を示す図。
【図４】取り外しが想定されていない連結部の連結構造を示す図。
【図５】図１のＶ-Ｖ断面図
【図６】図１のＶＩ−ＶＩ断面図。
【図７】一次成型で使用される金型（外側半体側）を示す図。
【図８】一次成型で使用される金型（磁石側）を示す図。
【図９】一次成型中の一対の金型の部分断面図。
【図１０】一次成型品の部分断面図。
【図１１】二次成型で使用される金型（一次成型品側）を示す図。
【図１２】二次成型で使用される金型（内側半体側）を示す図。
【図１３】二次成型中の一対の金型の部分断面図。
【図１４】二次成型品の部分断面図。
【発明を実施するための形態】
【００１６】
以下、図面を参照しつつ、本発明の一実施形態に係る磁気治療具について説明する。
【００１７】
＜１．磁気治療具の構成＞
図１に、本実施形態に係る磁気治療具１の外観図を示す。磁気治療具１は、磁気の作用による血行促進等の健康上の効果を目的として、身体の一部に巻き付けて使用するものである。図１に示すように、磁気治療具１は、可撓性を有する長尺体１０を有し、長尺体１０内には、複数の磁石２１，２２が長手方向に沿って離間した態様で埋め込まれている。なお、長尺体１０は、透明であっても不透明であってもよく、不透明の場合には磁石２１，２２を外部から視認することができないが、図１では説明の便宜上、磁石２１，２２が実線で示されている。なお、他の図においても同様に、長尺体１０及び後述するトップパイプ４４が不透明の場合には視認することができない内部の構成が実線で示されている。
【００１８】
磁気治療具１は、図２に示す磁気治療具１ａを２つ用意し、これを連結具３０，４０（図３及び図４参照）を用いて連結したものである。ただし、１つの磁気治療具１ａの両端を連結具３０を用いてループ状に連結することにより（連結具４０を用いてもよい）、磁気治療具１よりも短い磁気治療具を形成することも可能である。このように磁気治療具１ａを１つだけ使用した磁気治療具は、ブレスレットとしてより細い腕回りに装着するのに適している。一方、２つの磁気治療具１ａをループ状に連結した磁気治療具１は、ネックレスとしてより太い首回りに装着するのに適している。ただし、身体の装着箇所はこれに限られず、足首等、血行促進等の磁力の効果を必要とする身体の任意の部位に装着することができる。また、追加の連結具４０を用いて（連結具３０を用いてもよい）、３つ以上の磁気治療具１ａをループ状に連結することもできる。
【００１９】
図２に示すように、磁気治療具１ａは、長尺体１０ａと、長尺体１０ａ内に長手方向に沿って配列される複数の磁石２１，２２とを有する。なお、長尺体１０ａは、もう１つの長尺体１０ａと併せて、長尺体１０を構成する。長尺体１０ａは、複数の磁石２１，２２が埋め込まれる長尺状の本体部１１と、本体部１１の一端に配置される連結部１２と、本体部１１の他端に配置される連結部１３とを有する。本体部１１は、内部の磁石２１，２２の全方位を覆う中実の部材である。従って、磁石２１，２２は、本体部１１内で移動することはできない。なお、本体部１１内に部分的に空隙を設けることもできる。
【００２０】
本実施形態に係る長尺体１０ａは、シリコーンゴム製である。しかしながら、長尺体１０ａの材料はこれに限定されず、図１に示すように磁気治療具１をループ状に曲げることができる程度の可撓性を有する限り、様々な材料を選択することができる。例えば、シリコーンゴム以外のゴム材料や、軟質のエラストマー、軟質の樹脂等を選択することができ、ウレタンゴムやニトリルブタジエンラバー等が好適に選択され得る。ただし、肌への悪影響が比較的小さいという点では、シリコーンゴムが選択されることが好ましい。また、シリコーンゴムは、その柔らかな肌触りの点でも好ましい。なお、特開２００８−１７３４０５号公報に開示されるように、シリコーンゴムの主材料に磁性粉を混合した混合物により形成される磁気治療具が公知である。そして、このような磁性粉を含む磁気治療具の場合、磁気治療具が装着者の汗等に触れることで、磁性粉が水分を抱え込み、稀に膨潤が起こることがある。しかしながら、本実施形態では、長尺体１０ａが磁性分を含むものではないため、このような膨潤が防止される。
【００２１】
図３は、連結部１２，１２の連結構造を示す図である。連結部１２，１２は、連結具３０を介して着脱自在に連結される。連結部１２は、本体部１１よりもやや拡径しており、内部に連結具３０の概ね半分を受け入れることができる開口Ｓ１が形成されている。連結具３０は、樹脂製のピン状部材であり、本体軸３１と、本体軸３１の両端に配置されるストッパ３２，３３と、本体軸３１の中央よりもややストッパ３３側の位置に配置されるストッパ３４とを有する。ストッパ３２〜３４は、全て本体軸３１よりも径の大きいフランジ状の部位であり、ストッパ３３、ストッパ３４、ストッパ３２の順に径が大きい。連結部１２の開口Ｓ１は、このような連結具３０の形状に対応するように、連結具３０の長さの概ね半分の奥行を有する。また、開口Ｓ１は、最も径の大きい最奥部Ｓ１１と、これよりも径の小さい中央部Ｓ１２と、最奥部Ｓ１１よりも径が小さく中央部Ｓ１２よりも径の大きい入口部Ｓ１３とを有する。中央部Ｓ１２は、本体軸３１を受け取る開口であり、最奥部Ｓ１１は、ストッパ３３又はストッパ３２を受け取る開口である。入口部Ｓ１３は、ストッパ３４を受け取ることができる。そして、一方の連結部１２の開口Ｓ１にストッパ３３，３４を挿入し、他方の連結部１２の開口Ｓ１にストッパ３２を挿入することで、連結部１２，１２が連結される。連結部１２，１２を一度連結してしまうと、ストッパ３２はストッパ３３よりも径が小さいため、連結部１２からのストッパ３３の取り外しは困難であるが、ストッパ３２の取り外しは比較的容易である。従って、ストッパ３２をこれを受け入れる連結部１２の開口Ｓ１に対し着脱することで、装着者の首回り等の部位に対する磁気治療具１の着脱が容易となる。なお、連結部１２，１２は、可撓性を有するシリコーンゴム製であるため、このような材料の弾性により、連結具３０との着脱が容易に実現されるようになっている。
【００２２】
図４は、連結部１３，１３の連結構造を示す図である。連結部１３，１３は、連結部１２，１２と異なり、取り外しが想定されておらず、連結具４０を介して着脱が困難に連結されている。連結部１３は、連結部１２と同様の構成を有している。一方、連結具４０は、樹脂製のピン状部材であり、本体軸４１と、本体軸４１の両端に配置されるストッパ４２，４３とを有する。ストッパ４２，４３は、本体軸４１よりも径が大きく、上述のストッパ３３と同程度の径を有する。従って、ストッパ４２，４３を一度連結部１３，１３の開口Ｓ１に挿入してしまうと、連結部１３，１３の取り外しは困難となる。また、本体軸４１は、連結具３０の本体軸３１よりも長く、本体軸４１周りには、トップパイプ４４が取り付けられている。本実施形態に係るトップパイプ４４は、長尺体１０ａと同様にシリコーンゴムから形成されるが、異なる材料で形成することもできる。トップパイプ４４は、装飾部となり得る。従って、トップパイプ４４の材質や色や形状等を工夫することにより、磁気治療具１のアクセサリーとしての付加価値を高めることができる。
【００２３】
次に、磁石２１，２２について説明する。磁石２１，２２は、各々直方体状であり、磁石２１は、磁石２２よりも磁石単体での磁力が強い。図１に示すように、本実施形態では、４つの磁石２１が、ループ状の磁気治療具１の長手方向に沿って概ね等間隔に（概ね９０°間隔で）配置される。そして、これら４つの磁石２１の間を概ね等間隔に埋めるように、磁石２２が配置される。磁石２２は、隣接する磁石２１，２１間に４つずつ配置される。なお、磁石２１，２２全体の配列も、概ね等間隔である。ただし、連結部１２，１３近傍の磁石間の間隔は、連結部１２，１３から遠い本体部１１の中央における磁石間の間隔よりも若干短くなるように設計されている。これは、磁気治療具１をループ状に連結した場合において、磁石の埋め込まれていない連結部１２，１２及び連結部１３，１３の近傍では磁力が弱まるため、これを補完するためである。
【００２４】
ところで、磁気治療具１内に相対的に磁力の強い磁石２１のみを配置すると、時として磁力が強くなり過ぎる。かといって、相対的に磁力の弱い磁石２２のみを配置すると、強い磁力を発揮する部分が無くなり、十分な磁力の効果を得られないことも考えられる。しかしながら、本実施形態では、以上のような磁石２１，２２の配置により、磁石２１により概ね等間隔にピンポイントで強い磁力を発揮しつつ、全体としての磁力が強くなり過ぎることのないバランスのとれた磁力の効果が発揮されるようになっている。
【００２５】
図２は、磁気治療具１ａを両端から引っ張り、これを直線状に伸ばした様子を示している。しかしながら、長尺体１０ａ、ひいては磁気治療具１ａは、外力を加えていない状態では、長手方向に沿って自然と一定の方向に湾曲するように形成されている。従って、このような磁気治療具１ａ，１ａを連結具３０，４０を用いてループ状に形成するとき、磁気治療具１においてループの中心を向く面は一定となる。そして、このような磁気治療具１ａの有する湾曲癖により、磁気治療具１ａは容易に身体に巻き付けることが可能になる。なお、長尺体１０ａのこのような湾曲癖は、後述する製造方法によって与えられるが、湾曲癖を与える方法は、これに限られない。例えば、長尺体１０ａをその中心軸Ａ１に平行な面で仮想的に分断した２つの部分を可撓性の異なる材料から形成することで、湾曲癖を生じさせることができる。このような磁気治療具１では、可撓性のより大きい部分が自然と内側に配置され、可撓性のより小さい部分が自然と外側に配置されることになる。或いは、湾曲癖は、長尺体１０ａをその中心軸Ａ１に平行な面で仮想的に分断した２つの部分を、収縮率の異なる材料で形成することでも生じさせることができる。
【００２６】
図５は、図１のＶ−Ｖ断面図であり、図６は、図１のＶＩ−ＶＩ断面図である。同図に示すように、磁石２２の中心は、長尺体１０の中心軸Ａ１に概ね重なる。一方、磁石２１は、長尺体１０内において、長尺体１０の中心軸Ａ１から上述の湾曲癖による磁気治療具１の湾曲の中心に向かって偏心して配置される。言い換えると、磁石２１を覆うシリコーンゴム部分のうち、磁気治療具１をループ状に巻いたときに上述した湾曲癖によって自然と磁石２１の内側にくる部分の厚みが、自然と磁石２１の外側にくる部分の厚みよりも薄くなるように構成されている。その結果、磁気治療具１を身体に巻き付けようとしたときに、使用者が意識せずとも、磁石２１は自然とループの内側に偏って配置される。従って、磁気治療具１の装着時において、磁石２１は身体の近傍に配置されることになり、血行促進等の十分な磁力の効果が発揮される。また、装着者の運動に伴って磁気治療具１が回転し、磁石２１の位置が移動することがあるが、磁石２１の移動の方向は原則として磁気治療具１のループの周方向に限られる。すなわち、磁気治療具１の有する湾曲癖により、磁気治療具１がループの径方向に回転することは起こりにくく、磁石２１は常に身体に近い位置に維持される。
【００２７】
磁気治療具１の各部の寸法及び材質は、適宜設定することが可能であるが、本実施形態では、好適な一例として、以下の通り設定されている。すなわち、磁石２１，２２及び磁石２１，２２周りのシリコーンゴム部分の、磁気治療具１の径方向断面における寸法は、図５及び図６に示すとおりである。また、磁気治療具１の長手方向に沿った磁石２１，２２の寸法は、それぞれ１０.０６ｍｍ、６．００ｍｍである。また、本実施形態では、好適な一例として、磁石２１として、サマリウムコバルト磁石（構成比率：Ｓｍ２２％，Ｃｏ６２．５％，Ｐｒ１５％，Ｆｅ０．１６％，Ｓｎ０．３４％）が選択され、磁石２２として、湿式異方性ストロンチウムフェライト磁石（構成比率：ＳｒＯ１０％，Ｆｅ2Ｏ3９０％）が選択される。また、磁石２１の表面での磁束密度は約３５０ｍＴであり、磁石２２の表面での磁束密度は約１２０ｍＴである。さらに、長尺体１０の表面での磁石２１の磁束密度は約１５０ｍＴであり（磁石２１に最も近い位置で計測）、長尺体１０の表面での磁石２２の磁束密度は約７０ｍＴである（磁石２２に最も近い位置で計測）。連結具３０，４０の材料としては、ポリアセタール樹脂が選択される。
【００２８】
＜２．製造方法＞
以下、本実施形態に係る上述の磁気治療具１の製造方法について説明する。本製造方法では、一次成型及び二次成型の２回の成型を経て、磁気治療具１が製造される。
【００２９】
まず、長尺体１０の材料となるシリコーンゴム製のシートを製造する。このシートは、例えば、シリコーンゴムコンパウンドに、適宜加硫剤及び顔料を加えて混練し、これをシート状に形成することで製造される。なお、本実施形態では、好適な一例として、シリコーンゴムコンパウンド及び加硫剤として、モメンティブ・パフォーマンス・マテリアルズ・ジャパン合同会社製のシリコーンゴムコンパウンド（ＴＳＥ２６０−７Ｕ）及び添加剤（ＴＣ−８Ｅ）が使用される。
【００３０】
続いて、以上のシートから、概ね長尺体１０ａの本体部１１の半体の形状を有する長尺状の部材を切り出す。なお、本体部１１の半体とは、本体部１１を、長手方向に沿って延びる中心軸Ａ１を含む面で仮想的に分断した一方の部分である。また、この半体は、本体部１１のうち、磁気治療具１をループ状に巻いたときに上述した湾曲癖によって外側にくる部分に相当する。この意味で、以下、ここでカットされる長尺状の部材を、外側半体と呼ぶ。
【００３１】
また、磁気治療具１内に埋め込まれる磁石２１，２２を必要な数だけ準備する。本実施形態では、シリコーンゴム製の外側半体との接着性を確保すべく、磁石２１，２２の表面には、接着剤や密着性向上剤の役割を果たす適当なプライマー液が塗布される。プライマー液としては、磁石２１，２２の磁束に変動を与えないものを選定することが好ましく、例えば、昆山健翔硅？材料有限公司製のＪＸ−２０１を使用することができる。また、磁石が錆びやすい種類のもの、例えば、サマリウムコバルト磁石等であれば、プライマー液の塗布の前に防錆目的の塗装をすることが好ましい。
【００３２】
以上の準備が終わると、一次成型が行われる。一次成型では、図７及び図８に示す一対の金型５１，５２が使用される。金型５１は、一方の面５１ａに外側半体の形状の溝５１ｂが多数本形成された板状の部材である。金型５２は、一方の面５２ａに磁石２１，２２を配置可能な直方体状の開口５２ｂ，５２ｃが多数形成された板状の部材である。なお、開口５２ｂは、磁石２１をセットするための開口であり、開口５２ｃは、磁石２２をセットするための開口である。開口５２ｂ，５２ｃは、金型５１，５２の面５１ａ，５２ａを対面させたときに、溝５１ｂに対面する位置に配置されている。また、開口５２ｂ，５２ｃは、金型５２の面５２ａ上において、磁気治療具１ａの完成品内での磁石２１，２２の配列順及び間隔に従って形成されている。
【００３３】
そして、金型５１の各溝５１ｂに外側半体を充填し、金型５２の各開口５２ｂ，５２ｃにそれぞれ磁石２１，２２をセットする。そして、図９に示すように、面５１ａ，５２ａどうしが対面するように金型５１を金型５２の上に重ね、プレス加工を行う（一次成型）。一次成型後の外側半体のシリコーンゴムは、好ましくは、半加硫状態である。この一次成型は、常温又は常温よりも高い高温環境下で行うことができ、本実施形態では、１８５℃の高温環境下で金型に８．５トンの荷重をかけて５分間行われる。なお、図９は、一次成型中の金型５１，５２の部分断面図であり、図７及び図８において点線Ｃ１，Ｃ２で示す位置での金型５１，５２の断面が含まれる。一次成型中、磁石２１，２２の上面（外側半体の反対側の面）は金型５２に押し付けられるため、磁石２１，２２の上下方向（金型５１，５２の配置される方向）の位置が安定的に定まり、この状態で磁石２１，２２が外側半体に接着される。
【００３４】
図１０は、一次成型により製造される一次成型品１５の部分断面図である。一次成型品１５は、外側半体上に長手方向に沿って上面に複数の磁石２１，２２が露出するように配列されたものとなる。また、図９に示すとおり、金型５２の磁石２１用の開口５２ｂは、磁石２２用の開口５２ｃよりも深いため、一次成型品１５では、外側半体の下面から磁石２１の上面までの距離ｄ１は、外側半体の下面から磁石２２の上面までの距離ｄ２よりも長い。言い換えると、一次成型品１５では、外側半体の上面において、磁石２１が外側半体の下面からｄ１だけ上方に突出し、磁石２２が外側半体の下面からｄ１よりも短いｄ２だけ上方に突出している。
【００３５】
以上の一次成型が終了すると、次に二次成型が行われる。二次成型に先立ち、上述のシリコーンゴムのシートから、概ね長尺体１０ａの半体の形状を有する長尺状の部材が切り出される。なお、長尺体１０ａの半体とは、長尺体１０ａを、長手方向に沿って延びる中心軸Ａ１を含む面で仮想的に分断した一方の部分である。また、この半体は、長尺体１０ａのうち、磁気治療具１をループ状に巻いたときに上述した湾曲癖によって内側にくる部分に相当する。この意味で、以下、ここでカットされる長尺状の部材を、内側半体と呼ぶ。
【００３６】
二次成型では、図１１及び図１２に示す一対の金型６１，６２が使用される。金型６１は、一方の面６１ａに外側半体の形状の溝６１ｂが多数本形成された板状の部材である。なお、溝６１ｂは、一次成型品１５をセットするための開口である。また、溝６１ｂの両端には、連結部１２，１３の形状の開口６１ｃ，６１ｄが連続している。金型６２は、一方の面６２ａに、金型６１の溝６１ｂ及び開口６１ｃ，６１ｄと同様の形状の溝６２ｂ及び開口６２ｃ，６２ｄが形成された板状の部材である。溝６２ｂ及び開口６２ｃ，６２ｄは、金型６１，６２の面６１ａ，６２ａを対面させたときに、それぞれ溝６１ｂ及び開口６１ｃ，６１ｄに対面する位置に配置されている。
【００３７】
そして、金型６１の各溝６１ｂに一次成型品１５を配置するとともに、金型６１の各開口６１ｃ，６１ｄには、当該開口６１ｃ，６１ｄの形状にカットされたシリコーンゴムの材料を充填する。開口６１ｃ，６１ｄに充填されるシリコーンゴムの材料も、上述したシリコーンゴムのシートから切り出される。このとき、開口６１ｃ，６１ｄ内のシリコーンゴムの材料の上には、連結具３０，４０を挿入するための開口Ｓ１を形成するべく、開口Ｓ１の形状に対応する金属製の部材を配置する。また、一次成型品１５に含まれる磁石２１，２２は、溝６１ｂの外側を向くように配置される。一方、金型６２の各溝６２ｂ及び開口６２ｃ，６２ｄには、内側半体が充填される。
【００３８】
そして、図１３に示すように、面６１ａ，６２ａどうしが対面するように、金型６２を金型６１の上に重ね、プレス加工を行う（二次成型）。この二次成型は、常温又は常温よりも高い高温環境下で行うことができ、本実施形態では、１８５℃の高温環境下で金型に８．５トンの荷重をかけて、一次成型よりも長い７分間行われる。なお、図１３は、二次成型中の金型６１，６２の部分断面図であり、図１１及び図１２において点線Ｃ３，Ｃ４で示す位置での金型６１，６２の断面が含まれる。そして、二次成型により、外側半体及び内側半体の加硫が進行し、両者が接着される。なお、二次成型後、この二次成型品を例えば２００℃のオーブン内に４時間置くことで、さらに外側半体及び内側半体の加硫を進めることもできる。
【００３９】
二次成型後、温度の低下を待って、金型６１，６２から二次成型品を取り出す。図１４は、二次成型により製造される二次成型品の部分断面図である。二次成型品は、長手方向に沿って内部に磁石２１，２２が埋め込まれたシリコーンゴムの長尺体１０ａ、すなわち、磁気治療具１ａである。また、上述した開口Ｓ１の形状に対応する金属製の部材を取り外し、開口Ｓ１を開く。
【００４０】
なお、二次成型を行う時点では、一次成型品１５に含まれる外側半体は既に一度プレス成型が行われているため、硬化している。従って、二次成型中に、磁石２１，２２が外側半体に対して動きにくく、磁気治療具１ａ内での磁石２１，２２の上下方向の位置が安定する。また、本実施形態では、一次成型を経て磁石２１，２２が外側半体にしっかりと接着されていることもあり、二次成型中の磁石２１，２２の移動が著しく抑制される。その結果、製品ごとの磁気治療具１ａ内での磁石２１，２２の位置にバラつきが生じにくく、ひいては、磁気治療具１ａ表面での磁力が安定する。
【００４１】
また、二次成型時において、一次成型を経て既に収縮が進んでいる外側半体は、二次成型で初めて成型される内側半体に比べ、収縮率が小さい。その結果、二次成型においては、長尺体１０ａとなるシリコーンゴムの材料のうち、内側半体が外側半体よりも大きく収縮するため、磁気治療具１ａは内側半体側に向かって湾曲することになる。その結果、磁気治療具１ａに内側半体側に自然と湾曲する湾曲癖が生じ、磁気治療具１を身体に容易に巻き付けることが可能になる。
【００４２】
また、図１４に示すように、二次成型品は、磁石２１を覆うシリコーンゴムの材料の厚みが、外側部分の厚みよりも内側部分の厚みの方が薄くなるように形成される。そのため、磁気治療具１の装着時には、上述した磁気治療具１ａの湾曲癖により自然と内側部分がループの内側を向くこととなり、ひいては磁石２１が自然とループの内側に偏って配置され、血行促進等の磁力の効果が効果的に発揮される。
【００４３】
また、上記一次及び二次成型とは別に、連結具３０，４０及びトップパイプ４４をそれぞれ別の金型を用いて成型する。そして、上述した態様によりこれらのパーツ１２，１３，４４と２本の磁気治療具１ａとを連結することで、磁気治療具１が製造される。
【００４４】
＜３．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は適宜組み合わせることができる。
【００４５】
＜３−１＞
上記実施形態では、磁石２１，２２のうち磁石２１のみが、長尺体１０内でループの内側に向かって偏心するように形成されていたが、磁石２２も同様に、長尺体１０内でループの内側に向かって偏心するように形成することができる。或いは、磁石２１，２２のうち磁石２２のみを、同様に偏心させることもできる。
【００４６】
＜３−２＞
上記実施形態では、二種類の磁石２１，２２が組み合わせて使用されたが、寸法及び／又は磁力が同じ磁石のみを用いることもできる。
【００４７】
＜３−３＞
一次成型及び二次成型の条件は、上述したものに限られない。例えば、一次成型時間と二次成型時間は、５分，７分の例に限られず、一次成型と二次成型とを同じ時間だけ行ってもよいし、一次成型の方を長くしてもよい。温度や荷重も適宜変更することができる。
【００４８】
一次成型及び二次成型の温度条件としては、１６０℃〜１８５℃が好ましく、１７５℃〜１８５℃がさらに好ましい。外側半体及び内側半体の加硫が適切に進行する限り、任意の温度及び時間を選択することができる。
【００４９】
なお、本発明者らは、（一次成型時間，二次成型時間）＝（５分，７分），（５分，５分），（７分，７分），（１０分，１０分）とし、その他の点については上記実施形態と同じ条件下で、磁気治療具１ａを製造した。そして、これらの磁気治療具１ａを長手方向に約１０％のテンションをかけた状態で、食塩水、次亜塩素ナトリウム、塩素処理水、ボディソープ、塩酸、人工汗（アルカリ）、人工汗（酸）、ヒマシ油及びエタノールの各液に８日間浸漬した。その後、一次成型部分と二次成型部分との継目（外側半体と内側半体との継目）に亀裂が生じているか否かを確認したところ、全ての試験で亀裂が確認されなかった。
【符号の説明】
【００５０】
１  磁気治療具
１ａ  磁気治療具（略半分）
１０  長尺体
１０ａ  長尺体（略半分）
２１  磁石（偏心磁石、強磁石）
２２  磁石（弱磁石）
【図１】
0006415173.tif 000002
【図２】
0006415173.tif 000003
【図３】
0006415173.tif 000004
【図４】
0006415173.tif 000005
【図５】
0006415173.tif 000006
【図６】
0006415173.tif 000007
【図７】
0006415173.tif 000008
【図８】
0006415173.tif 000009
【図９】
0006415173.tif 000010
【図１０】
0006415173.tif 000011
【図１１】
0006415173.tif 000012
【図１２】
0006415173.tif 000013
【図１３】
0006415173.tif 000014
【図１４】
0006415173.tif 000015